【事件の表示】
　特願２００１−　４１８８２「通話記録方式」拒絶査定不服審判事件〔平成１４年　８月３０日出願公開、特開２００２−２４７６４５〕について、次のとおり審決する。
【結　論】
　本件審判の請求は、成り立たない。
【理　由】
１．手続の経緯・本願発明
　本願は、平成１３年２月１９日の出願であって、その請求項１に係る発明は、平成１６年２月２日付けの手続補正書により補正された明細書及び図面の記載からみて、特許請求の範囲の請求項１に記載されたとおりの次のものと認める。（以下、「本願発明」という。）
「複数の電話端末と、これらの複数の電話端末を接続する電話交換機とを備え、電話端末間の通話を記録する通話記録方式であって、
前記電話端末は、
通話中において、通話を記録する要求である通話記録要求を前記電話交換機へ送信する手段を有し、
前記電話交換機は、
通話接続時、発信加入者の電話端末と着信加入者の電話端末間の接続を確立する交換スイッチの通話パスを設定すると同時に、前記通話パスにダイヤル信号受信装置をダイヤル受信割り込みパスにより割り込み接続し、通話中の前記電話端末から通話記録要求を前記ダイヤル信号受信装置により受信する要求受信手段と、
前記要求受信手段が受信した通話記録要求により、通話中の音声を記録する音声記録装置を前記通話パスに音声記録割り込みパスにより割り込み接続し、通話中の音声を記録する通話音声記録手段とを有することを特徴とする通話記録方式。」
　　
２．引用例
　これに対して、原査定の拒絶の理由に引用された特開２０００−９２５６６号公報（以下、「引用例」という。）には、図面とともに次の事項が記載されている。
　
Ａ．「【０００１】
【発明の属する技術分野】この発明は、通話記録機能およびエリア通知機能を持ったＰＨＳ交換機に関する。」
　
Ｂ．「【０００６】
【発明の実施の形態】以下、この発明の一実施形態について図を参照しながら説明する。図１はこの発明の一実施形態によるＰＨＳ交換機の構成を示すブロック図である。また、図２および図３はこの発明の一実施形態の動作を説明するための図である。
【０００７】図１において、ＰＳは、通話音声データおよび、ＰＳのキー操作による情報を無線信号に変換して出力する。また、ＰＳは、無線信号を受信しそのデータから音声を再生する。ＣＳは、該当エリア内に収容されているＰＳからの無線信号を入力し、交換機内に送信する。通話記録装置は、ＣＳを経由してＰＳからの送られてくる通話データを記録する。
【０００８】・・・（中略）・・・交換接続装置（以下、ＮＷと略称する）５は、ＣＳ−ＣＳ間あるいは、通話記録装置７／ＡＮＭ装置６間のパス接続を行なう。制御装置（以下、ＣＰと略称する）８は、ＰＳからの発呼／切断指示または、特殊キー操作による通話記録の開始／停止指示により、交換機内のＮＷパスの接続／解放、または通話記録機能の起動／停止指示を行う。
【０００９】このようにして、本発明では、ＰＳからの特殊キー操作を検出すると、通話中のＮＷパスが、通話記録装置にも接続されるため、それ以後の通話の音声データを通話記録装置に記録することができる。・・・（後略）・・・」
　
Ｃ．「【００１０】図１を参照すると、本発明の一実施形態としての通話記録機能、エリア通知機能を有したＰＨＳ交換機の実施形態が示されている。この図において、ＰＳ１ ２１はＰＨＳ端末であり、電話番号の入力や、デジタル信号←→アナログ信号変換を行い、無線にてＣＳ間通話者の会話を無線にてＣＳに発信したり、ＣＳからの相手側の会話を再生したりする。また、特殊キー操作により、ＰＨＳ交換機に対して動作指示を行なう。
【００１１】このときの特殊キー操作とは、ＰＳの使用者が、例えば「＃０１＃」や「＃２２＃」などのあらかじめ決められたキー操作を行なうことを意味する。ＣＳは、そのエリア内にあるＰＳからの無線信号を受信し、交換機に送信する。また交換機からの信号をエリア内に発信する。ＣＳは街なかの固定された場所に設置されているため、ＣＳからの無線信号は限られたある地域にのみ送受信される。エリア１ １〜エリア４ ４はＣＳの発する無線信号が届く範囲を示している。通話記録装置７は、ＣＰからの起動／停止指示により、通話データを格納したり格納されている通話データを出力したりする。
【００１２】・・・（中略）・・・ＮＷ５はＣＰからの指示により、ＰＳ(ＣＳ)−ＰＳ(ＣＳ)間やＰＳ(ＣＳ)−記録装置間等のパスの接続や切り離しを行なう。ＣＰはＰＳからの発呼、電話番号の入力、特殊キー操作等を検出すると、ＮＷに対するパス接続指示、記録装置、ＡＭＮへの起動制御などを行なう。・・・（中略）・・・
【００１３】次に動作の説明を図２、３を参照して行う。図２において、ＰＳ１ ２１とＰＳ２ ２２間で通話の際に、ＰＳ１ ２１から第１の特殊キー操作を行なう。ＰＨＳ交換機は、第１の特殊キー操作を受信するとＣＰからのＮＷパス制御指示により、ＰＳ１ ２１−通話記録装置７間およびＰＳ２ ２２−通話記録装置７間のＮＷパスが張られる。
【００１４】図３において、通話記録装置では、ＰＳ１ ２１とＰＳ２ ２２との通話が記録される。・・・（後略）・・・」
　
　上記Ｃの段落【００１３】の「・・・ＰＳ１ ２１とＰＳ２ ２２間で通話の際に、ＰＳ１ ２１から第１の特殊キー操作を行なう。ＰＨＳ交換機は、第１の特殊キー操作を受信すると・・・」との記載によれば、引用例のものは、通話接続時、発信加入者のＰＨＳ端末と着信加入者のＰＨＳ端末間の接続を確立する交換接続装置の通話パスが設定された状態において通話中の前記ＰＨＳ端末から特殊キー操作に基づく信号を受信する何らかの受信手段を備えると解される。
　また、上記Ｃの段落【００１３】の記載において、「第１の特殊キー操作を受信」したときに「ＣＰからのＮＷパス制御指示により」行われる「ＰＳ１ ２１−通話記録装置７間およびＰＳ２ ２２−通話記録装置７間のＮＷパスが張られる」動作は、特殊キー操作に基づく信号により、通話記録装置を通話パスに音声記録割り込みパスにより割り込み接続する動作であるということができる。
　
　よって、上記Ａ〜Ｃの記載及び関連する図面を参照すると、引用例には、次の発明が記載されているものと認められる。（以下、「引用例記載の発明」という。）
「複数のＰＨＳ端末と、これらの複数のＰＨＳ端末を接続するＰＨＳ交換機とを備え、ＰＨＳ端末間の通話を記録する通話記録方式であって、
前記ＰＨＳ端末は、
通話中において、特殊キー操作に基づく信号を前記ＰＨＳ交換機へ送信する手段を有し、
前記ＰＨＳ交換機は、
通話接続時、発信加入者のＰＨＳ端末と着信加入者のＰＨＳ端末間の接続を確立する交換接続装置の通話パスが設定された状態において通話中の前記ＰＨＳ端末から特殊キー操作に基づく信号を受信する受信手段と、
前記受信手段が受信した特殊キー操作に基づく信号により、通話記録装置を前記通話パスに音声記録割り込みパスにより割り込み接続し、通話中の音声を記録する通話記録手段とを有する通話記録方式。」
　
３．対比
　本願発明と引用例記載の発明とを対比すると、まず、引用例記載の発明における「ＰＨＳ端末」、「ＰＨＳ交換機」、「交換接続装置」、「通話記録装置」、「通話記録手段」は、それぞれ、本願発明における「電話端末」、「電話交換機」、「交換スイッチ」、「音声記録装置」、「通話音声記録手段」に相当する。
　また、引用例記載の発明における「特殊キー操作に基づく信号」は、該信号をＰＨＳ交換機が受信することにより通話記録が行われるような信号であり、本願発明における「通話を記録する要求である通話記録要求」に相当するものであるということができる。
　そして、本願発明は、「通話接続時、発信加入者の電話端末と着信加入者の電話端末間の接続を確立する交換スイッチの通話パスを設定すると同時に、前記通話パスにダイヤル信号受信装置をダイヤル受信割り込みパスにより割り込み接続し、通話中の前記電話端末から通話記録要求を前記ダイヤル信号受信装置により受信する要求受信手段」を備えるものであるが、「通話パスを設定すると同時に、前記通話パスにダイヤル信号受信装置をダイヤル受信割り込みパスにより割り込み接続」するということは、通話パスが設定された状態において通話記録要求を受信することが可能であることには変わりないので、本願発明と引用例記載の発明とは、ともに、「通話接続時、発信加入者の電話端末と着信加入者の電話端末間の接続を確立する交換スイッチの通話パスが設定された状態において通話中の前記電話端末から通話記録要求を受信する要求受信手段」を有するということができる。
　
　よって、本願発明と引用例記載の発明とは、ともに、
「複数の電話端末と、これらの複数の電話端末を接続する電話交換機とを備え、電話端末間の通話を記録する通話記録方式であって、
前記電話端末は、
通話中において、通話を記録する要求である通話記録要求を前記電話交換機へ送信する手段を有し、
前記電話交換機は、
通話接続時、発信加入者の電話端末と着信加入者の電話端末間の接続を確立する交換スイッチの通話パスが設定された状態において通話中の前記電話端末から通話記録要求を受信する要求受信手段と、
前記要求受信手段が受信した通話記録要求により、通話中の音声を記録する音声記録装置を前記通話パスに音声記録割り込みパスにより割り込み接続し、通話中の音声を記録する通話音声記録手段とを有する通話記録方式。」
である点で一致し、次の点で相違する。
　
　相違点：「通話接続時、発信加入者の電話端末と着信加入者の電話端末間の接続を確立する交換スイッチの通話パスが設定された状態において通話中の前記電話端末から通話記録要求を受信する要求受信手段」が、本願発明においては、「通話接続時、発信加入者の電話端末と着信加入者の電話端末間の接続を確立する交換スイッチの通話パスを設定すると同時に、前記通話パスにダイヤル信号受信装置をダイヤル受信割り込みパスにより割り込み接続し、通話中の前記電話端末から通話記録要求を前記ダイヤル信号受信装置により受信する要求受信手段」であるのに対し、引用例記載の発明においては、交換スイッチの通話パスを設定すると同時に該通話パスにダイヤル受信割り込みパスにより割り込み接続される「ダイヤル信号受信装置」を用いた上記のような手段であるとはされていない点。
　
４．当審の判断
　そこで、上記相違点について検討する。
　一般に、通常の通話回線接続以外の特殊サービスを行う電話交換機において、通話パスに割り込ませたダイヤル信号受信装置にダイヤル信号を受信させることにより特殊サービスを行わせるようにすることは、周知技術（必要であれば、例えば、特開２０００−１０１７１８号公報の「選択信号受信装置４」に関する動作や、特開平８−４６６９３号公報の「ダイヤル信号受信装置１０」に関する動作等を参照されたい。）にすぎない。
　また、引用例記載の発明に対して上記周知技術を適用する際、引用例記載の発明における電話交換機の特殊サービスは「通話記録」なのであるから、電話端末同士の通話パスが設定されると「同時に」通話記録を行うことが可能になるようにダイヤル信号受信装置を割り込ませるようにすることは、当業者が当然考慮すべき事項にすぎない。
　よって、引用例記載の発明に対して上記周知技術を適用し、「通話接続時、発信加入者の電話端末と着信加入者の電話端末間の接続を確立する交換スイッチの通話パスを設定すると同時に、前記通話パスにダイヤル信号受信装置をダイヤル受信割り込みパスにより割り込み接続し、通話中の前記電話端末から通話記録要求を前記ダイヤル信号受信装置により受信する要求受信手段」を備えるようなものとすることは、当業者が適宜に設計できる事項にすぎないものと認められる。
　そして、本願発明の構成によってもたらされる効果も、引用例記載の発明及び上記周知技術から当業者ならば容易に予測することができる程度のものであって、格別のものとはいえない。
　
５．むすび
　したがって、本願発明は、引用例記載の発明及び上記周知技術に基いて、当業者が容易に発明をすることができたものであるので、特許法第２９条第２項の規定により特許を受けることができない。
　よって、結論のとおり審決する。